(57)【特許請求の範囲】
【請求項１】
制御電源の極性に対応して第１及び第２定位動作を行う転換制御部と、
制御電源の入力端子及び表示出力端子を、前記転換制御部に接続する第１スイッチ状態と、極性を反転して前記転換制御部に接続する第２スイッチ状態との間で動作するスイッチ部とを含み、
前記入力端子及び前記表示出力端子は、共に前記第１スイッチ状態で前記転換制御部に接続され、共に前記第２スイッチ状態で前記転換制御部に接続される、
電気転てつ機。
【請求項２】
請求項１に記載された電気転てつ機であって、前記電源入力端子は、外部コネクタが挿脱されるコネクタでなる、電気転てつ機。
【発明の詳細な説明】
【技術分野】
【０００１】
本発明は、鉄道保安装置の一種である電気転てつ機に関する。
【背景技術】
【０００２】
電気転てつ機は、定位転換または第２定位動作転換を指示する転換指令に従って転換モータが回転し、分岐器の開通方向を転換する機能と、分岐器が転換指令どおりに開通したことを確認する機能とを備えている（特許文献１参照）。
【０００３】
一つの電気転てつ機を取り出した場合には、上述したように、単純に、一つの定位転換動作方向を考慮すればよい。しかし、鉄道線形によっては、２つの電気転てつ機を、互いに相互関係をもって動作させなければならないことも多い。例えば、第１線路から分岐線を経て、第２線路に到る進路を構成する必要がある場合は、第１線路と分岐線との分岐に第１電気転てつ機を配置し、分岐線と第２線路との合流位置に第２電気転てつ機を配置するような場合である。
【０００４】
このような場合、第１電気転てつ機と第２電気転てつ機とは、定位動作方向が逆になることがある。定位動作方向を、右、左と表現すると、第１電気転てつ機の定位動作方法が右方向なら、第２電気転てつ機の定位動作方向は左方向となる。
【０００５】
上述した定位動作を確保する手段として、従来は、機器室などに備えられた転てつ機制御装置から供給される制御出力及び表示出力を、第１電気転てつ機及び第２転てつ機の間をわたり、それぞれの定位動作方向に応じて組み替え、第１電気転てつ機及び第２転てつ機の定位動作を、あたかも、一台の電気転てつ機を制御する如く、制御していた。
【０００６】
しかし、従来技術には、両電気転てつ機の組み合わせ、及び、組み換えが複雑であることから、組み換え工事、配線工事にミスを生じ易いという難点がある。
【０００７】
上述した問題点を解決する別の従来技術として、所謂「総単動制御」と称される制御方式が知られている。この制御方式は、第１電気転てつ機及び第２電気転てつ機を、転てつ機制御装置によって個別的に、つまり、１対１の関係で制御するものである。
【０００８】
しかし、「総単動制御」においては、第１電気転てつ機及び第２転てつ機のそれぞれにおいて、定位動作方向を個別的に切替設定しなければならないので、切替作業ミスが付きまとう。
【先行技術文献】
【特許文献】
【０００９】
【特許文献１】特開２００５−３４９９３３号公報
【発明の概要】
【発明が解決しようとする課題】
【００１０】
本発明の課題は、定位動作方向、及び、表示方向の切替を、ミスを生じることなく簡易に実行できる電気転てつ機を提供することである。
【００１１】
本発明のもう一つの課題は、コストの安価な電気転てつ機を提供することである。
【課題を解決するための手段】
【００１２】
上述した課題を解決するため、本発明に係る電気転てつ機は、転換制御部と、切替部とを有する。前記転換制御部は、制御電源の極性に対応して定位動作及び第２定位動作動作を行うものであり、その点で、従来と異なるところはない。本発明の特徴は、転換制御部に加えて、切替部を有している点にある。
【００１３】
前記切替部は、スイッチ部と、制御電源入力端子と、表示出力端子とを含んでおり、前記スイッチ部は、前記制御電源入力端子及び表示出力端子を、そのまま、前記転換制御部に接続する第１スイッチ状態と、前記第１スイッチ状態から極性を反転して、前記転換制御部に接続する第２スイッチ状態との間でスイッチ動作を行う。
【００１４】
上述したように、本発明に係る電気転てつ機は、切替部を有しており、この切替部のスイッチ部は、制御電源入力端子及び表示出力端子を、そのまま、転換制御部に接続する第１スイッチ状態と、前記第１スイッチ状態から極性を反転して転換制御部に接続する第２スイッチ状態との間でスイッチ動作を行うから、スイッチ部の切換操作により、電気転てつ機の定位動作方向を簡易に切り換えるとともに、それに併せて、転換方向表示も簡易に設定することができる。
【００１５】
本発明に係る電気転てつ機の上述した特徴は、鉄道線形に対応して、複数の電気転てつ機を、互いに相互関係をもって動作させなければならない場合に、極めて有用である。例えば、第１線路から分岐線を経て、第２線路に到る進路を構成する必要がある場合において、第１線路と分岐線との分岐に第１電気転てつ機を配置し、分岐線と第２線路との合流位置に第２電気転てつ機を配置し、第1電気転てつ機を第２定位に制御し第２電気転てつ機を第１定位に制御するような場合である。
【００１６】
このような場合、第１及び第２電気転てつ機のいずれにおいても、その切替部のスイッチ部を操作して、第１スイッチ状態又は第２スイッチ状態に設定し、転換制御部における定位動作状態を、切替えることができる。
【００１７】
この定位動作方向の切り替えは、単純に、切替部の切替操作によって実行されるものであるから、転換方向及び表示方向を簡易に設定できる。しかも、切替部を追加するだけの簡単は変更で済むので、コストが安価である。
【００１８】
好ましくは、切替部の電源入力端子は、外部コネクタが挿脱されるコネクタでなる。このような構成であれば、電源ケーブル接続作業、さらには信号ケーブルを、ワンタッチで行うことができるようになる。
【発明の効果】
【００１９】
以上述べたように、本発明によれば、次のような効果を得ることができる。
（ａ）定位動作方向、及び、表示方向の切替を、ミスを生じることなく簡易に実行できる電気転てつ機を提供することができる。
（ｂ）コストの安価な電気転てつ機を提供することができる。
【図面の簡単な説明】
【００２０】
【図１】本発明に係る電気転てつ機を用いた鉄道線形を示す図である。
【図２】本発明に係る電気転てつ機に備えられた切替部の第１定位動作状態を示す図である。
【図３】本発明に係る電気転てつ機に備えられた切替部の第２定位動作状態を示す図である。
【発明を実施するための形態】
【００２１】
図１を参照すると、第１線路１１から、分岐線路１３を経て、第２線路１２に到る進路ＲＴ１を構成する鉄道線形が図示されている。第１線路１１と分岐線路１３との分岐点には、第１電気転てつ機２１が配置されており、分岐線路１３と第２線路１２との合流点に第２電気転てつ機２２が配置されている。
【００２２】
第１電気転てつ機２１は、制御電源線ＣＡ１１、表示電源線ＣＡ１２及び表示出力線ＣＡ１３によって、制御装置３に接続されており、また、第２電気転てつ機２２も、制御電源線ＣＡ２１、表示電源線ＣＡ２２及び表示出力線ＣＡ２３によって、制御装置３に接続されている。第１電気転てつ機２１に接続された制御電源線ＣＡ１１、表示電源線ＣＡ１２及び表示出力線ＣＡ１３は、第２電気転てつ機２２に接続された制御電源線ＣＡ２１、表示電源線ＣＡ２２及び表示出力線ＣＡ２３から独立しており、従って、第１電気転てつ機２１及び第２電気転てつ機２２は、制御装置３に対する関係では、互いに個別的である。
【００２３】
制御電源線ＣＡ１１、ＣＡ２１は、制御電源（電圧）Ｂ２４、ＣＡ２４を供給するものである。制御電源Ｂ２４及びＣＡ２４は、例えば、ＤＣ２４Ｖの電源であって、制御電源Ｂ２４が＋Ｖ１（ボルト）のとき、制御電源Ｃ２４は０（ボルト）となるような関係にある。
【００２４】
表示電源線ＣＡ１２、ＣＡ２２は、表示電源（電圧）Ｂ２４、ＣＡ２４を供給するものである。表示電源Ｂ２４及びＣＡ２４は、例えば、ＤＣ２４Ｖの電源であって、表示電源Ｂ２４が＋Ｖ１（ボルト）のとき、表示電源Ｃ２４は０（ボルト）となるような関係にある。表示電源Ｂ２４、Ｃ２４は、通常は、制御電源Ｂ２４、Ｃ２４と同じ電圧のものであるので、同一表示とした。
【００２５】
表示出力線ＣＡ１３、ＣＡ２３は、表示出力信号Ｂ２４Ｓ、Ｃ２４Ｓを制御装置３に向けて出力する。表示出力信号Ｂ２４Ｓ、Ｃ２４Ｓは、電圧が表示電源（Ｂ２４、Ｃ２４）のそれと同じでよい。
【００２６】
第１電気転てつ機２１及び第２電気転てつ機２２は、転換制御部２１１、２２１を有する。転換制御部２１１、２２１は、入力端ＩＮ１１、ＩＮ１２に供給される制御電源Ｂ２４、ＣＡ２４の極性に対応する方向の定位動作を行う。出力端ＩＮ３１、ＩＮ３２からは、入力端子ＩＮ１１、ＩＮ１２に入力される制御電源Ｂ２４、ＣＡ２４の極性に対応して、表示出力信号Ｂ２４Ｓ、Ｃ２４Ｓが出力される。
【００２７】
本発明の特徴は、転換制御部２１１に加えて、切替部２１２、２２２を有している点にある。切替部２１２、２２２は、電磁リレー、半導体リレー、機械的スイッチまたはそれらの組み合わせによって構成することができる。そのうち、好ましいのは、操作の容易性、構成の簡易化という観点から、機械的スイッチを含む構成である。第１及び第２電気転てつ機２１、２２は、互いに同一構成になるので、以下、図２及び図３を参照し、第１電気転てつ機２１を中心に説明する。図２は第１定位動作（例えば、右方向への動作）を示し、図３は第２定位動作（例えば、左方向への動作）を示している。
【００２８】
まず、図２を参照すると、切替部２１２は、スイッチ部ＳＡ、ＳＢと、制御電源入力端子（Ｔ１０、Ｔ２０）及び表示電源入力端子（Ｔ３０、Ｔ４０）と、表示出力端子（Ｔ５０、Ｔ６０）とを含んでいる。
【００２９】
詳しく見ていくと、スイッチ部ＳＡは、制御電源入力端子Ｔ１０、Ｔ２０を、そのまま、転換制御部２１１に接続する第１スイッチ状態と、第１スイッチ状態から極性を反転して、転換制御部２１１に接続する第２スイッチ状態との間でスイッチ動作を行う。第１スイッチ状態が第１定位動作に対応し、第２スイッチ状態が第２定位動作に対応する。
【００３０】
一対の制御電源入力端子Ｔ１０、Ｔ２０のうち、制御電源入力端子Ｔ１０は、可動接点Ｓ１の一端に接続されている。この可動接点Ｓ１は、第１定位接点Ｎ１及び第２定位接点Ｒ１の間で切り替わる。制御電源入力端子Ｔ２０は、可動接点Ｓ２の一端に接続されており、可動接点Ｓ２は第１定位接点Ｎ２及び第２定位接点Ｒ２の間で切り替わる。第１定位接点Ｎ２は、第２定位接点Ｒ１と共通に接続されており、第２定位接点Ｒ２は、第１定位接点Ｎ１と共通に接続されている。
【００３１】
図２の状態では、可動接点Ｓ１が第１定位接点Ｎ１に接触しており、可動接点Ｓ２が第１定位接点Ｎ２に接触している。この第1スイッチ状態は、第１定位動作に対応しており、制御電源入力端子Ｔ１０に供給された電圧＋Ｖ１（例えばＤＣ２４Ｖ）の制御電源Ｂ２４が、転換制御部２１１の入力端ＩＮ１１に供給され、制御電源入力端子Ｔ２０に供給された電圧-Ｖ１（＝０）の制御電源Ｃ２４が、転換制御部２１１の入力端ＩＮ１２に供給される。それによって、転換制御部２１１が、第１定位動作をするように制御される。
【００３２】
次に、スイッチ部ＳＢは、表示出力端子Ｔ５０、Ｔ６０を、そのまま、転換制御部２１１に接続する第１スイッチ状態と、第１スイッチ状態から極性を反転して、転換制御部２１１に接続する第２スイッチ状態との間でスイッチ動作を行う。
【００３３】
一対の表示出力端子Ｔ５０、Ｔ６０のうち、表示出力端子Ｔ５０は、可動接点Ｓ３の一端に接続されている。この可動接点Ｓ３は、第１定位接点Ｎ３及び第２定位接点Ｒ３の間で切り替わる。表示出力端子Ｔ６０は、可動接点Ｓ４の一端に接続されており、可動接点Ｓ４は第１定位接点Ｎ４及び第２定位接点Ｒ４の間で切り替わる。第１定位接点Ｎ４は、第２定位接点Ｒ３と共通に接続されており、第２定位接点Ｒ４は、第１定位接点Ｎ３と共通に接続されている。
【００３４】
図２の状態では、可動接点Ｓ３が第１定位接点Ｎ３に接触しており、可動接点Ｓ４が第１定位接点Ｎ４に接触している。この第１スイッチ状態は、第１定位動作に対応しており、転換制御部２１１の出力端ＩＮ３１の表示出力電圧（Ｂ２４Ｓ）が、表示出力端子Ｔ５０に出力され、転換制御部２１１の出力端ＩＮ３２の表示出力電圧（Ｃ２４Ｓ）、が表示出力端子Ｔ６０に出力される。
【００３５】
次に、図３の第２定位動作状態では、スイッチ部ＳＡの可動接点Ｓ１が、第１定位接点Ｎ１から、第２定位接点Ｒ１に切り替わり、可動接点Ｓ２が第１定位接点Ｎ２から第２定位接点Ｒ２に切り替わっている。この第２スイッチ状態は、第２定位動作に対応しており、制御電源入力端子Ｔ２０に供給された制御電源Ｃ２４が、転換制御部２１１の入力端ＩＮ１１に供給され、制御電源入力端子Ｔ１０に供給された電圧＋Ｖ１の制御電源Ｂ２４が、転換制御部２１１の入力端ＩＮ１２に供給される。これにより、転換制御部２１１の入力端ＩＮ１１、ＩＮ１２で見た制御電源の極性が反転し、転換制御部２１１において、第２定位への転換制御動作が行われる。
【００３６】
一方、スイッチ部ＳＢでは、可動接点Ｓ３が、第１定位接点Ｎ３から第２定位接点Ｒ３に切り替わり、可動接点Ｓ４が、第１定位接点Ｎ４から第２定位接点Ｒ４に切り替わる。この第２スイッチ状態は、第２定位動作に対応しており、転換制御部２１１の出力端ＩＮ３１の表示出力電圧（Ｂ２４Ｓ）が表示出力端子Ｔ６０に出力され、転換制御部２１１の出力端ＩＮ３２の表示出力電圧（Ｃ２４Ｓ）が表示出力端子Ｔ５０に出力される。
【００３７】
上述したように、本発明に係る電気転てつ機は、切替部２１２を有しており、この切替部２１２のスイッチ部ＳＡ、ＳＢは、制御電源入力端子（Ｔ１０、Ｔ２０）、表示出力端
子（Ｔ５０、Ｔ６０）を、そのまま、転換制御部２１１に接続する第１スイッチ状態と、第１スイッチ状態から極性を反転して転換制御部２１１に接続する第２スイッチ状態との間でスイッチ動作を行うから、切替部２１２の切換操作により、電気転てつ機を、第１定位動作（右）及び第２定位動作（左）の間で切り換えることができる。したがって、定位動作方向、及び、表示方向の切替を、ミスを生じることなく簡易に実行できることになる。
【００３８】
以上、好ましい実施例を参照して本発明の内容を具体的に説明したが、本発明の基本的技術思想及び教示に基づいて、当業者であれば、種々の変形態様を採り得ることは自明である。
【符号の説明】
【００３９】
２１、２２                    切替部
２１１、２２１                転換制御部
２１２、２２２                スイッチ部
【図１】
0005737891.tif 000002
【図２】
0005737891.tif 000003
【図３】
0005737891.tif 000004